(57)【要約】【課題】着火機構の誤操作や小児等の悪戯による押し込み操作をロックすることが可能となり、意に反した着火操作を阻止することができるライターの操作ロック機構を提供する。【解決手段】操作ロック機構１０は、上方に向けて押圧付勢状態で保持される圧電ユニット４５の頂面に前後方向スライド可能に組み付けられたロック解除スライダー１２と、ロック解除スライダー１２の前後移動量を制限した状態で収容保持すべく圧電ユニット４５の上端側に被装されたハウジング１３と、ロック解除スライダー１２を後方に押圧付勢して初期位置に保持する板バネ１４と、風防４６の下方に延びる切欠部１５にあって風防４６内に臨むロック解除スライダー１２の遊端部後方両側に設けた肩部１２ｂが係合してロック解除スライダー１２の下降操作を阻止する掛止片１５ａとを備えてなる。【選択図】図１
2011247470.tif 000002
【特許請求の範囲】
【請求項１】
ライター本体に組み込まれた着火機構と、該着火機構の着火操作を阻止せしめる操作ロック機構とを備えてなるガスライターの操作ロック機構において、
前記操作ロック機構は、上方に向けて押圧付勢状態で保持される圧電ユニットの頂面に摺動自在に組み付けられたロック解除スライダーと、該ロック解除スライダーの摺動量を規制した状態で収容保持すべく前記圧電ユニットの上端側に被装されたハウジングと、前記ロック解除スライダーを押圧付勢して初期位置に保持する付勢手段と、風防内の空隙に連通すべく形成された切欠部を通して風防内に臨む前記ロック解除スライダーに突設された肩部と係合して同ロック解除スライダーの下降操作を阻止する下降阻止手段とを備えてなることを特徴とするガスライターの操作ロック機構。
【請求項２】
前記付勢手段は、前記ロック解除スライダー後方の両側面から外方に向けて変位可能な付勢状態で突設し両外側面が円弧状に形成された一対の弾性片を備え、前記ハウジング前方側の両内壁側面には、内方に向く一対の突起部を設けた湾曲凹部を備えてなり、
前記ロック解除スライダーの前方に向くスライド操作により、前記弾性片の円弧状外側面が、前記湾曲凹部の突起部に対する付勢力に抗して内方に弾性変位し、前記ロック解除スライダーのスライド操作を解除した際、前記湾曲凹部の突起部により弾性変位した円弧状外側面に生ずる付勢力の後方に向く分力作用で前記ロック解除スライダーが初期位置に復帰することを特徴とする請求項１に記載のガスライターの操作ロック機構。
【請求項３】
前記下降阻止手段は、前記風防側面の着火操作側に形成される下方に延びる切欠部の両側縁には前記両肩部の下面に掛止する掛止片が突設されると共に、前記両肩部によって幅狭に形成される両面がガイド部として形成されて前記両掛止片から下方に延びる開口端縁間に上下方向に案内可能とされてなり、前記ロック解除スライダーが初期位置にあるときは、前記両肩部が前記両掛止片の端面上にあって前記ロック解除スライダーの下方への移動が阻止され、前記ロック解除スライダーを前方にスライドさせたときは、前記両肩部が前記両掛止片の端面から外れて前記ガイド部が両掛止片間を通して下方への移動が許容されることを特徴とする請求項１に記載のガスライターの操作ロック機構。
【請求項４】
前記ロック解除スライダーの後方上面にはスライド操作子が突設され、該スライド操作子は、前記ハウジングの後方に形成されるガイド長孔を挿通して前記ハウジングの上面に突出すると共に、前記ガイド長孔の前端に当接して前記ロック解除スライダーのスライドを規制することを特徴とする請求項１に記載のガスライターの操作ロック機構。
【発明の詳細な説明】
【技術分野】
【０００１】
本発明は、主として子供が簡単に着火操作することができないようにした所謂チャイルドレジスタンス(ＣＲ)機構を備えたガスライターの改良に係り、更に詳しくは、ガスライターを構成する他のパーツを破損することなくロック保持できると共に、着火後は、必ずロック状態に自動復帰することができる安心、安全なガスライターの操作ロック機構に関する。
【背景技術】
【０００２】
従来、斯かるガスライターの操作ロック機構としては、先端にライター本体の頂部に突出したガス噴出ノズルの先端に係合された着火操作子を弁開き方向に押圧操作することにより前記ガス着火操作子に対して回動自在に支持され、或る位置では前記ライター本体の上縁部に当接して前記着火操作子の下降を阻止し、他の位置では前記ライター本体の上縁部との当接が外れて前記着火操作子の下降を許容する嵌入溝内へ嵌合される操作片と、前記着火操作子の下に垂設されて前記操作片を回動自在に挿着せしめる取付軸と、その下に遊嵌されて前記操作片の抜け止めをするスプリングとからなるストッパーを兼備せしめたものが提案されている（例えば、特許文献１参照）。
【先行技術文献】
【特許文献】
【０００３】
【特許文献１】実開昭５４−４４１７６号公報
【発明の概要】
【発明が解決しようとする課題】
【０００４】
しかしながら、上述した従来の操作ロック機構にあっては、ロック部材であるストッパー（操作片）の遊端部側がライター本体の表面から外方に向けて突出しているため、例えば、ポケットや鞄等にガスライターを入れたままの状態にあっては、外的衝撃、或いは一連の動作の中で何気なく入れた指先がストッパー（操作片）の突出部に触れて安易に解除方向へ回動してしまい、意に反して着火してしまうということが問題となっている。
【０００５】
また、現在、市販されているチャイルドレジスタンスガスライターの中には、通常、ロック付勢部材として常套のコイルスプリングを使用しているが、斯かるコイルスプリングでは付勢力を弱くすると子供でも容易に着火操作ができてしまうし、さりとて、付勢力を強くすると、他のパーツが破損してしまうといった問題があるため、昨今では、ガスライターの誤着火を確実に阻止できる安心・安全なチャイルドレジスタンスガスライターが要望されている。
【０００６】
本発明は、上述した事情に鑑みてなされたもので、他のパーツを破損することなく確実にロック状態に保持できると共に、着火操作をする際、ロック解除スライダーを摺動させる力と、圧電素子を押し込む力との二つが必要となるため、子供にとって容易には着火操作を行うことができず、着火後は、必ず同スライダーが自動的にロック状態に復帰することができる安心・安全なガスライターの操作ロック機構を提供することを目的とする。
【課題を解決するための手段】
【０００７】
本発明に係るライターの操作ロック機構では、上記課題を解決するために以下の手段を採用した。
本発明に係るライターの操作ロック機構は、ライター本体に組み込まれた着火機構と、該着火機構の着火操作を阻止せしめる操作ロック機構とを備えてなるライターの操作ロック機構において、前記操作ロック機構は、上方に向けて押圧付勢状態で保持される圧電ユニットの頂面に前後方向スライド可能に組み付けられたロック解除スライダーと、該ロック解除スライダーの前後移動量を制限した状態で収容保持すべく前記圧電ユニットの上端側に被装されたハウジングと、前記ロック解除スライダーを後方に押圧付勢して初期位置に保持する付勢手段と、風防内の空隙に連通すべく形成された切欠部を通して風防内に臨む前記ロック解除スライダー遊端部後方の両側に形成された肩部が係合して前記ロック解除スライダーの下降操作を阻止する下降阻止手段とを備えてなることを特徴とする。
【０００８】
また、前記付勢手段は、前記ロック解除スライダー後方の両側面から外方に向けて変位可能な付勢状態で突設し両外側面が円弧状に形成された一対の弾性片を備え、前記ハウジング前方側の両内壁側面には、内方に向く一対の突起部を設けた湾曲凹部を備えてなり、前記ロック解除スライダーの前方に向くスライド操作により、前記弾性片の円弧状外側面が、前記湾曲凹部の突起部に対する付勢力に抗して内方に弾性変位し、前記ロック解除スライダーのスライド操作を解除した際、前記湾曲凹部の突起部により弾性変位した円弧状外側面に生ずる付勢力の後方に向く分力作用で前記ロック解除スライダーが初期位置に復帰することを特徴とする。
【０００９】
更に、前記下降阻止手段は、前記風防側面の着火操作側に形成される下方に延びる切欠部の両側縁には前記両肩部の下面に掛止する掛止片が突設されると共に、前記両肩部によって幅狭に形成される両面がガイド部として形成されて前記両掛止片から下方に延びる開口端縁間に上下方向に案内可能とされてなり、前記ロック解除スライダーが初期位置にあるときは、前記両肩部が前記両掛止片上にあって前記ロック解除スライダーの下方への移動が阻止され、前記ロック解除スライダーを前方にスライドさせたときは、前記両肩部が前記両掛止片から前方に外れて前記ガイド部が両掛止片間を通して下方への移動が許容されることを特徴とする。
【００１０】
また、前記ロック解除スライダーの後方上面にはスライド操作子が突設され、該スライド操作子は、前記ハウジングの後方に形成されるガイド長孔を挿通して前記ハウジングの上面に突出すると共に、前記ガイド長孔の前端に当接して前記ロック解除スライダーのスライドを規制することを特徴とする。
【発明の効果】
【００１１】
本発明によれば、従来の問題点であるポケットや鞄等にガスライターを入れたままの状態にあっては、外的衝撃或いは一連の動作の中で何気なく入れた指先がストッパー（操作片）の突出部に触れて安易に解除方向へ回動してしまい、意に反して着火してしまうといった問題を解消できると共に、他のパーツを破損することなく確実にロック状態に保持することができるといった効果を奏する。
【００１２】
しかも、着火操作をする際には、ロック解除スライダーを摺動させる力と、圧電素子を押し込む力の二つが必要となるため、子供にとって容易に着火操作をすることができず、また、着火後は必ず同スライダーが自動的にロック状態に復帰するため、従来のような着火機構による誤操作や、小児等の悪戯による火事や火傷等の事故を確実に防止することができる安心・安全なガスライターの操作ロック機構を提供できるのである。
【図面の簡単な説明】
【００１３】
【図１】（ａ）は本発明の実施形態に係る内燃式ガスライターの操作ロック機構を組み込んだ内燃式ガスライターの縦断面図、（ｂ）は（ａ）のＡ−Ａ断面図である。
【図２】同内燃式ガスライターに組み込まれた操作ロック機構の一部断面を示す外観斜視図である。
【図３】（ａ）は操作ロック機構のロック解除スライダーがロック位置にある状態を示す平面断面図、（ｂ）はロック解除スライダーが解除位置にある状態を示す平面断面図である。
【図４】（ａ）〜（ｃ）は同操作ロック機構の要部となるロック解除スライダーによる操作説明図である。
【図５】（ａ）〜（ｄ）は平面断面図と対応する縦断面図を上下に配したもので、操作ロック機構による一連の着火操作の説明図である。
【発明を実施するための形態】
【００１４】
以下、本発明の実施形態に係るライターの操作ロック機構について図面を参照して説明する。
【００１５】
（内燃式ガスライター）
図１においてＡは、本発明に係る内燃式ガスライターであり、この内燃式ガスライターＡは、ライター本体１の内部に形成されたガスタンク２の上方に一体形成されたタンク上蓋３を備えている。
【００１６】
斯かるタンク上蓋３は、ライター本体１内部の上下を気密に区画形成するものであり、上部が開口する円筒収容室３ａを形成したケーシング４が一体的に形成され、前記円筒収容室３ａの内部にはブッシュ５が挿嵌されている。
【００１７】
また、前記ブッシュ５の上端に開口する収容穴５ａの内周面には、後述するハウジング２４の外周に螺設された雄ねじに螺合する雌ねじが螺設されると共に、前記収容穴５ａの底面には有底の小径段付き穴５ｂが形成されている。
【００１８】
小径段付き穴５ｂの底面には、Ｔ型ディスク６ａの上面にフィルター６ｂを重ねて保持してなる遮蔽部材６が収容されており、この遮蔽部材６の上面には、前記ハウジング２４が螺合した際にハウジング２４の下端面に装着される小径筒体２９の下面が当接するようになっている。
【００１９】
また、前記遮蔽部材６が収容された前記小径段付き穴５ｂの底面には、挿着孔５ｃが形成されており、該挿着孔５ｃにはガスタンク２に臨むガス吸引管Ｔが装着されている。
【００２０】
一方、前記ブッシュ５の収容穴５ａ内周に螺設した雌ねじにはハウジング２４が螺合されており、該ハウジング２４の連通路となる収容穴２４ａには、ガス噴出ノズル２６が圧縮ばねＳＰにより下方に付勢された状態で収容されている。
【００２１】
ガス噴出ノズル２６は、細長円筒状をなし、長手方向中央外周にはリング状に突出する突出部２６ａが形成されると共に、該突出部２６ａの下方には、内部の噴出孔２６ｂに連通する連通口２６ｃが半径方向に形成され、噴出孔２６ｂの下端には弁部となる栓体２８が装着されている。
【００２２】
前記ハウジング２４の収容穴２４ａ下端内周に装着された小径筒体２９の内部下方にはハウジング２４の下端に開口する小径段付き孔２９ａが形成され、前記小径段付き孔に形成される段差部２９ｂが前術したバルブ機構Ｖの弁座として構成されている。
【００２３】
すなわち、前記段差部２９ｂには、圧縮ばねＳＰの付勢力によりガス噴出ノズル２６下端に装着された栓体２８の下面が当接し、ガスタンク２内から前記ガス吸引管Ｔを介して吸い上げられる燃料ガスの漏洩を気密に遮断している。
【００２４】
前記ハウジング２４の頂面からは、ガス噴出ノズル２６の先端が挿通突出しており、ガス噴出ノズル２６の先端には噴出孔２６ｂが開口されると共に、その先端外周には膨出した頸部２６ｄが形成されている。
【００２５】
前記円筒収容室３ａ開口の片側面に位置するタンク内側には、掛止片３ｂが突設しており、該掛止片３ｂの上端には逆Ｌ字型に折曲形成された開閉操作レバー３４の折曲部が回動可能に支持されている。
【００２６】
前記開閉操作レバー３４の先端には、ガス噴出ノズル２６の頸部２６ｄに係合する二股状のフォーク部が形成されると共に、下方に折曲した下方側面（図中右側）にはガイドカム３４ａが形成されている。
【００２７】
而して、前記ガイドカム３４ａは、ガス点火時に後述する圧電ユニット４５の頂面に組み付けられた後述する操作ロック機構１０として構成されるロック解除スライダー１２を下方に押圧操作した際に、前記圧電ユニット４５と一体形成されたアース３６下方の当接片(図示せず)が開閉操作レバー３４のガイドカム３４ａに当接するようになっている。
【００２８】
ライター本体１のタンク上蓋３左側上端には、キャップリフター３０が圧縮ばねＳＰにより上方に付勢された状態で保持されており、前記キャップリフター３０の頂面には、蓋体２２を回動保持する支点側に装着されたカム部材４４が当接した状態で保持されている。前記キャップリフター３０の近傍側面には回動支点となるキャップピン４２を備えた図示しないキャップホルダーが突設している。
【００２９】
前記蓋体２２は、前記キャップピン４２により前記カム部材４４を介して回動自在に支持されており、前記キャップリフター３０は、蓋体２２が閉じた状態では当接状態が維持されている。
【００３０】
図１に示された着火機構の一部を構成する圧電ユニット４５は、上下方向に伸縮するように相互に嵌めあわされた外箱４５ａと内箱４５ｂとを有し、内箱４５ｂの中には図示しないが圧電素子、ハンマー、復帰ばね等が組み込まれている。
【００３１】
４６は風防を示しており、この風防４６の頂面から燃焼筒となるセラミックバーナーパイプ５０の先端に取付けられたバーナーキャップ４８が突出しており、セラミックバーナーパイプ５０の底面には、燃焼ガスを噴出するバーナー筒５４がバーナーワッシャＷを介して挿通支持されて立設している。
【００３２】
セラミックバーナーパイプ５０は、円筒状のバーナーホルダ５２の内部に嵌合保持されており、バーナーホルダ５２内部の小径段付き穴とセラミックバーナーパイプ５０下方に形成される小径空間は混合室５５として構成されている。前記バーナーホルダ５２下面には、導電線５６の放電端子５６ａの先端を挿嵌支持する支持部５２ａが設けられており、導電線５６の外周は絶縁チューブ５８により被覆されている。
【００３３】
一方、前記ハウジング２４は、上方の外周面に複数の図示しない縦溝が形成されており、前記ハウジング２４の上部外周には前記複数の縦溝に係合可能な突条を内設したアジャスター３２が上下に移動可能に係合状態で挿嵌されている。
【００３４】
そこで、前記アジャスター３２を右または左方向に回転操作すると、前記ブッシュ５の収容穴５ａに螺合しているハウジング２４も同期して左方向に回転する。これにより、前記ハウジング２４は、所定量上下に移動するため、前記ブッシュ５の上端からハウジング頂面までの突出量が変位する。この突出量をライター本体１の外部から調整することでハウジング２４の押し込み量が変化してガス噴出量が増減される。
【００３５】
（ガスライターの操作ロック機構）
次に、本発明の要部であるライターの操作ロック機構に付き図１〜図４を参照して説明する。
図１〜図４には内燃式ガスライターの操作ロック機構１０が示されている。この操作ロック機構１０は、着火機構の操作を阻止するための機構であって、上方に向けて押圧付勢された状態で保持される圧電ユニット４５の頂面に水平方向に摺動自在に組み付けられたロック解除スライダー１２と、該ロック解除スライダー１２の摺動量(ストローク)を規制した状態で収容保持すべく前記圧電ユニット４５の上端側に被装されたハウジング１３と、前記ロック解除スライダー１２を押圧付勢して初期位置に保持する一対の弾性片で構成される板バネ１４（付勢手段）と、風防４６の着火操作側に形成された下方に延びる切欠部１５（図２，図４参照）にあって該切欠部１５を挿通して風防４６内に臨む前記ロック解除スライダー１２の遊端部後方の両側面に形成された段付き状の肩部１２ｂ，１２ｂが一対の掛止片１５ａ，１５ａに係合して前記ロック解除スライダー１２の下降操作を阻止する下降阻止手段１６（図２、図３（ｂ）参照）とを備えている。
【００３６】
前記ロック解除スライダー１２は、合成樹脂等で一体成形されており前方の遊端部は幅広に形成されて上面幅方向には円弧状の突出部１２ａが設けられており、前記遊端部後方の両側面に形成される両肩部１２ｂ，１２ｂによって幅狭のガイド部１２ｃが形成されている。
【００３７】
而して、  前記ガイド部１２ｃの中央には、後方に延びる所定高さの矩形断面で形成されるブロック状の基体１２ｄが設けられ、基体１２ｄの後端上面にはスライド操作子１２ｅが突設されている。
【００３８】
スライド操作子１２ｅは、ハウジング１３後方の天面に形成されたガイド長孔１３ｃを挿通してハウジング１３の上面に突出し、前記ガイド長孔１３ｃの前端に当接することでロック解除スライダー１２のスライドを規制している。
【００３９】
また、前記スライド操作子１２ｅを支持している基体１２ｄの後方両側面には、外側面が円弧状に形成された一対の板バネ１４，１４の一端(基端)側が一体的に連設され、他端（自由端）側が前方に延びている。
【００４０】
更に、前記ロック解除スライダー１２は、圧電ユニット４５の頂面に前後方向摺動可能に組み付けられて、前記圧電ユニット４５の上端側に被装されたハウジング１３の内部に収容されており、ブロック状の基体１２ｄ上面がハウジング１３の天面により保持されている。
【００４１】
また、前記ハウジング１３内部の左右内壁には、前記板バネ１４，１４を案内可能に収容する円弧状の湾曲凹部１３ａ，１３ａが形成されており、該湾曲凹部１３ａ，１３ａの前方側には内方に突設する突起部１３ｂ，１３ｂが形成されている。
【００４２】
一方、図２、図３において、前記風防４６の着火操作側の側面には、前記ロック解除スライダー１２の遊端部を挿通する切欠部１５と、該切欠部１５の長手方向端縁に連設された一対の掛止片１５ａ，１５ａが内方に突出すべく形成されている。
【００４３】
而して、掛止片１５ａ，１５ａの端縁部１５ｂ，１５ｂで形成される間隙内には、前記両肩部１２ｂ，１２ｂによって形成される幅狭のガイド部１２ｃが上下方向に案内可能とされている。
【００４４】
（ロック解除スライダーの操作方法）
次に、ロック解除スライダー１２の操作方法に付き図３（ａ）、（ｂ）及び図４（ａ）〜（ｃ）を参照して詳しく説明する。図３（ａ）は、ロック解除スライダー１２がロックされた状態を示している。すなわち、ロック解除スライダー１２は、未操作の状態では図４（ａ）に示すように、一対の板バネ１４，１４の付勢作用で初期位置となる後端位置に保持されている。
【００４５】
この状態では、ロック解除スライダー１２の幅広な遊端部後方の両側面に形成された両肩部１２ｂ，１２ｂは、風防４６の切欠部１５下端に形成される掛止片１５ａ，１５ａに対応するように位置している。これにより、操作ロック機構１０を下方に押し込み操作すると、前記両肩部１２ｂ，１２ｂが掛止片１５ａ，１５ａに当接することで、下方への押し込み操作がロックされるので着火操作を阻止することができる。
【００４６】
一方、図３（ｂ）は、ロック解除スライダー１２によるロックが解除された状態を示している。すなわち、ロック解除スライダー１２は、一対の板バネ１４，１４の付勢力に抗して風防４６側（前方）に向けてスライド操作すると、風防４６の切欠部１５下端の掛止片１５ａ，１５ａの上面に対応して位置している前記両肩部１２ｂ，１２ｂが、掛止片１５ａ，１５ａから前方に摺動するので、幅狭のガイド部１２ｃが掛止片１５ａ，１５ａの端縁部１５ｂ，１５ｂが対面する内側間隙に対応する。
【００４７】
これにより、ロック解除スライダー１２を前方に向けてスライド操作することで、前記両肩部１２ｂ，１２ｂが掛止片１５ａ，１５ａから前方に外れるので、操作ロック機構１０を下方に押し込み操作すると、幅狭のガイド部１２ｃが掛止片１５ａ，１５ａの端縁部１５ｂ，１５ｂに案内されて下方に移動する。
【００４８】
従って、ライター本体１を把持した手の親指でロック解除スライダー１２のスライド操作子１２ｅを前方へ摺動させた状態で下方への押し込み操作することにより、図１に示すように、アース３６下方の当接片(図示せず)が開閉操作レバー３４のガイドカム３４ａに当接し、開閉操作レバー３４がタンク内側両面にある前記掛止片３ｂの上端に支持された折曲部を支点として時計回りに回動する。
【００４９】
これによりガス噴出ノズル２６は、頸部２６ｄが開閉操作レバー３４の二股状のフォーク部に係合された状態で引出方向に動作されてバルブ機構Ｖが開放されるので、ガス吸引管Ｔを介して吸い上げられたガスタンク２内の燃料ガスは、フィルター６ｂを透過して小径筒体２９の内径部とガス噴出ノズル２６外径部の隙間を通して小径筒体２９内部の開口側に移動し、ガス噴出ノズル２６側方の連通口２６ｃを通過して噴出孔２６ｂに達し上端の噴出口から外方へと噴出される。
【００５０】
そして、斯かるガス噴出ノズル２６から噴出された気化ガスは、バーナーホルダ５２下面の小径挿通孔により流速を強めて噴出され、同時に斯かる流速で生ずる負圧作用を利用してバーナー筒５４頂部の吸気孔から空気を吸い込み混合室５５へと噴射される。
【００５１】
噴射されたガスと空気の混合ガスは、前記混合室５５内の天頂面に当接して逆噴流を惹起せしめ、燃焼効率を向上すべく更に混合されながら天頂の噴出路ならびに側面に開口された複数の拡散孔を介して燃焼筒となるセラミックバーナーパイプ５０へと拡散されることとなり、その瞬間に火花放電が引火してバーナー状に着火することになる。
【００５２】
（操作ロック機構による着火操作）
次に、操作ロック機構による一連の着火操作に付き図５（ａ）〜（ｄ）を参照して説明する。先ず、図５（ａ）に示すように、操作ロック機構１０のロック解除スライダー１２が初期位置にあっては、ロック解除スライダー１２の両肩部１２ｂ，１２ｂが図４（ａ）に示す掛止片１５ａ，１５ａの上面に位置するので、操作ロック機構１０の押し下げ操作がロックされる。
【００５３】
図５（ｂ）は、ロック解除スライダー１２が前方にスライド操作された状態を示しており、一対の板バネ１４，１４の付勢力に抗してロック解除スライダー１２を風防４６側前方に向けてスライド操作すると、図４（ｂ）に示す両肩部１２ｂ，１２ｂが掛止片１５ａ，１５ａの上面から前方に移動するので、ロック解除スライダー１２の幅狭に形成されたガイド部１２ｃは、掛止片１５ａ，１５ａの端縁部１５ｂ，１５ｂが対面する内側間隙に対応し、操作ロック機構１０の押し下げ操作のロックが解除される。
【００５４】
そこで、図５（ｃ）に示されるように、ロック解除スライダー１２の押し下げ操作を行うことで、前述と重複するので詳細の操作は省略するが、図４（ｃ）に示すように、圧電ユニット４５と一体形成されたアース３６も同時に押し下げられるので、前記開閉操作レバー３４によりガス噴出ノズル２６が引出方向に動作されてバルブ機構Ｖが開放されて着火が行われる。
【００５５】
次に、着火操作が完了すると、図５（ｄ）に示すように、ロック解除スライダー１２が前方に位置した状態で押し下げ力を開放することで、ロック解除スライダー１２は、再び圧電ユニット４５の付勢作用により上端位置に復帰する。
【００５６】
そこで、スライド操作子１２ｅから親指を離すと、ロック解除スライダー１２は一対の板バネ１４，１４の付勢作用により初期位置まで戻る。すなわち、親指による前方への押圧力が開放されると、図３（ｂ）に示すように、ロック解除スライダー１２は、カム状に形成された湾曲凹部１３ａ，１３ａの前方側から内方に突設する突起部１３ｂ，１３ｂにより両板バネ１４，１４の円弧部の先端側外周が付勢力に抗して内方に押圧付勢されているので、前記突起部１３ｂ，１３ｂが摺接している板バネ１４，１４の円弧状の外側面に後方に向く付勢力の分力作用で後方への移動が開始し自動的に初期位置に復帰する。
【００５７】
これにより、ロック解除スライダー１２が初期位置にあるときは、該ロック解除スライダー１２の遊端部両側の両肩部１２ｂが、風防４６の切欠部１５に形成された掛止片１５ａ，１５ａに対応するので、操作ロック機構１０を押し込み操作した際は、当該両肩部１２ｂが風防４６の掛止片１５ａ，１５ａに掛止されて操作ロック機構１０の下方への押し込み操作が阻止される。
【００５８】
その結果、従来のように着火機構による誤操作や小児等の悪戯による押し込み操作により意に反した着火操作が行われることで、火事や火傷等の事故を防止することができる。
尚、本発明のライターの操作ロック機構は、本実施形態に限定されるものではなく、本発明の目的の範囲内で自由に設計変更し得るものであり、例えば、付勢手段１４として湾曲状に一体成型された板バネ１４が用いられているがこれに限らず、圧縮コイルバネ(図示せず)をハウジング１３の内部にスライド操作子１２ｅを押圧するように収容して使用することもできる。
【符号の説明】
【００５９】
１…ライター本体、１０…操作ロック機構、１２…ロック解除スライダー、１２ｂ…肩部、１２ｃ…ガイド部、１２ｅ…スライド操作子、１３…ハウジング、１３ａ…湾曲凹部、１３ｂ…突起部、１３ｃ…ガイド長孔、１４…板バネ（付勢手段）、１５…切欠部、１５ａ…掛止片（下降阻止手段）、１６…下降阻止手段、４５…圧電ユニット、４６…風防
【図１】
2011247470.tif 000003
【図２】
2011247470.tif 000004
【図３】
2011247470.tif 000005
【図４】
2011247470.tif 000006
【図５】
2011247470.tif 000007